(57)【要約】【課題】水性インクを搭載したインクジェットプリンタを使用してインクジェット印刷しても水分による伸びが発生しないインクジェット記録紙を提供する。【解決手段】本発明に係るインクジェット記録紙１は，インクジェットプリンタ４が吐出した水性インクの液滴を吸収するインク受容層１０と，基紙１１０を含む基紙層１１と，ＵＶ硬化インクを用いて形成したバックコート層１２を順に積層した構造になっている。本発明において， バックコート層１２の膜厚は８０μｍ〜５００μｍの範囲であることが好適で， 基紙層１１に含まれる基紙１１０の紙厚は，四六判の斤量で１３０ｋｇ〜１８０ｋｇの範囲であることが好適である。【選択図】図１
2020131457.tif 000002
【特許請求の範囲】
【請求項１】
インクジェットプリンタが吐出した水性インクを吸収するインク受容層と，基紙を含む基紙層と，ＵＶ硬化インクを用いて形成したバックコート層を順に積層した構造のインクジェット記録紙。
【請求項２】
前記バックコート層の膜厚を８０μｍ〜５００μｍの範囲としたことを特徴とする，請求項1に記載したインクジェット記録紙。
【請求項３】
前記基紙層に含まれる基紙の紙厚を，四六判の斤量で１３０ｋｇ〜１８０ｋｇの範囲としたことを特徴とする，請求項1または２に記載したインクジェット記録紙。
【請求項４】
インクジェットプリンタが吐出した水性インクの液滴を吸収するインク受容層と，基紙を含む基紙層と，ＵＶ硬化インクを用いて形成したバックコート層を順に積層した構造のインクジェット記録紙を使用した校正刷りの製造方法であって，
基本色に対応する多色の水性インクを搭載したインクジェットプリンタを使用して，前記基本色で再現できる色の絵柄である基本色絵柄を前記インクジェット記録紙にインクジェット印刷する工程と，
特色インクがインキングユニットに入れられた平台校正機を使用して，特色を用いる絵柄である特色絵柄をインクジェット印刷後の前記インクジェット記録紙にオフセット印刷する工程を含む，
ことを特徴とする校正刷りの製造方法。
【発明の詳細な説明】
【技術分野】
【０００１】
本発明は，インクジェットプリンタを使用して校正刷りを製造する技術分野に関する。
【背景技術】
【０００２】
従来，多色オフセット印刷の校正は，平台校正機（例えば，特許文献１の図１）を用いる平台校正が一般的であったが，２０００年代の半ばごろから，大判のインクジェットプリンタ（例えば，特許文献２の図１）を用いる簡易校正が広く普及するようになった。
【０００３】
インクジェットプリンタを使用して校正刷りを製造することで，印刷原稿をデジタル化したデジタル原稿から簡単かつ迅速に校正刷りを製造できるが，インクジェットプリンタを使用して校正刷りを製造できる印刷原稿は，インクジェットプリンタの基本色で色を再現できる印刷原稿に限定されていた。
【０００４】
印刷会社が受注する印刷物の印刷原稿で必要となる色は，インクジェットプリンタの基本色で再現できる色ばかりではなく，インクジェットプリンタの基本色で再現できない特色もある。インクジェットプリンタの基本色で再現できない特色の例としては，メタリック色や蛍光色が挙げられる。
【０００５】
特色を必要とする印刷原稿の校正刷りを簡単かつ迅速に製造する手順として，インクジェットプリンタを使用して，インクジェットプリンタの基本色で再現できる色の絵柄をインクジェット記録紙にインクジェット印刷した後，平台校正機を使用して，特色を用いる絵柄をインクジェット印刷後のインクジェット記録紙にオフセット印刷する手順が考えられる。しかし，この手順で校正刷りを実際に製造すると，水性インクに含まれる水分の影響でインクジェット記録紙が伸び，平台校正機を使用してインクジェット印刷後のインクジェット記録紙にオフセット印刷を行うと見当ずれが生じてしまう。
【０００６】
従来のインクジェット記録紙のインク受容層は，水性インクに含まれる水分の吸収を高めるように構成されているが（例えば，特許文献３の０００３段落），この構成は，インクジェットプリンタを使用して印刷した後に印刷面が波打つコックリングの発生を回避することを目的としており，この構成では，上記の問題を解決できない。
【先行技術文献】
【特許文献】
【０００７】
【特許文献１】特開平１１−５２９０号公報
【特許文献２】特開２０１８−１５８４８９号公報
【特許文献３】特開２００１−２４６８３６号公報
【発明の概要】
【発明が解決しようとする課題】
【０００８】
そこで，本発明は，水性インクを搭載したインクジェットプリンタを使用してインクジェット印刷しても水分による伸びが発生しないインクジェット記録紙，および，このインクジェット記録紙を利用した校正刷りの製造方法を提供することを目的とする。
【課題を解決するための手段】
【０００９】
上述した課題を解決する第１発明は，インクジェットプリンタが吐出した水性インクを吸収するインク受容層と，基紙を含む基紙層と，ＵＶ硬化インクを用いて形成したバックコート層を順に積層した構造のインクジェット記録紙である。第１発明において， 前記バックコート層の膜厚は８０μｍ〜５００μｍの範囲であることが好適で， 前記基紙層に含まれる基紙の紙厚は，四六判の斤量で１３０ｋｇ〜１８０ｋｇの範囲であることが好適である。
【００１０】
更に，第２発明は，第１発明に係るインクジェット記録紙，すなわち，インクジェットプリンタが吐出した水性インクの液滴を吸収するインク受容層と，基紙を含む基紙層と，ＵＶ硬化インクを用いて形成したバックコート層を順に積層した構造のインクジェット記録紙を利用した校正刷りの製造方法である。第２発明に係る校正刷りの製造方法は，基本色に対応する多色の水性インクを搭載したインクジェットプリンタを使用して，前記基本色で再現できる色の絵柄である基本色絵柄を前記インクジェット記録紙にインクジェット印刷する工程と，特色インクがインキングユニットに入れられた平台校正機を使用して，特色を用いる絵柄である特色絵柄をインクジェット印刷後の前記インクジェット記録紙にオフセット印刷する工程を含むことを特徴とする。
【発明の効果】
【００１１】
本発明に係るインクジェット記録紙は，ＵＶ硬化インクを用いて形成したバックコート層を裏面に積層することで，インクジェットプリンタが使用する水性インクに含まれる水分による伸びが発生しないように構成されている。
【図面の簡単な説明】
【００１２】
【図１】本実施形態に係るインクジェット記録紙を説明する図。
【図２】本実施形態に係る校正刷りの製造方法の手順を説明する図。
【図３】本実施形態に係る校正刷りの製造方法の補足図。
【発明を実施するための形態】
【００１３】
ここから，本発明に係る実施形態について記載する。本実施形態は，本発明の理解を容易にするためのものであり，本発明は，本実施形態に限定されるものではない。また，特に断りのない限り，図面は，本発明の理解を容易にするために描かれた模式的な図である。
【００１４】
図１は，本実施形態に係るインクジェット記録紙１を説明する図，図２は，本実施形態に係る校正刷り３の製造方法の手順を説明する図，図３は，本実施形態に係る校正刷り３の製造方法の補足図である。
【００１５】
図１で図示したように，本実施形態に係るインクジェット記録紙１は，インクジェットプリンタ４が吐出した水性インクの液滴を吸収するインク受容層１０と，基紙１１０を含む基紙層１１と，ＵＶ硬化インクを用いて形成したバックコート層１２を順に積層した構造になっている。
【００１６】
インクジェットプリンタ４のインクには，溶剤を溶媒とする溶剤系インクもあるが，本発明で対象とするインクは，水を主溶媒とする水性インクである。インクジェットプリンタ４の水性インクは，主溶媒となる水を多量に含むため，滲みなどを防止して高精細な画像を得るためには，インクジェットプリンタ４が吐出した水性インクの液滴に含まれる水を吸収し，水性インクに含まれる顔料や染料を定着させるインク受容層１０が必要になる。インク受容層１０は，その用途に応じて構成や膜厚が異なるが，多孔質無機粒子（アルミナやシリカなど）と水溶性樹脂（ポリビニルアルコールなど）を利用した構成が主流になっている。
【００１７】
インク受容層１０を積層させた側の面がインクジェット記録紙１の印刷面になる。図１で図示したように，インクジェット記録紙１のインク受容層１０には，インクジェット記録紙１を用いて製造する校正刷り３に係る印刷原稿２が印刷される。本実施形態において，インクジェット記録紙１に印刷する印刷原稿２は，インクジェットプリンタ４の基本色で再現できる色の絵柄である基本色絵柄２０（ここでは，人物）と，特色を用いる特色絵柄２１（ここでは，文字）を含む。
【００１８】
インクジェットプリンタ４の水性インクは，主溶媒となる水を多量に含み，インクジェット記録紙１に積層したインク受容層１０は，水性インクの液滴に含まれる水を吸収する層になるため，インクジェットプリンタ４を用いてインクジェット記録紙１のインク受容層１０に基本色絵柄２０をインクジェット印刷すると，インク受容層１０が吸収した水分の影響でインクジェット記録紙１に伸びが発生する。この状態で特色絵柄２１をインクジェット記録紙１にオフセット印刷すると，基本色絵柄２０に対する特色絵柄２１の見当がずれてしまう。
【００１９】
そこで，本発明では，ＵＶ硬化インクを用いて形成するバックコート層１２を基紙層１１の裏面に積層させ，バックコート層１２により，インク受容層１０が吸収した水分の影響でインクジェット記録紙１に伸びることを防止している。
【００２０】
ＵＶ硬化インクの種類は様々あるが，インクジェット記録紙１の伸びを防止する観点からすると，高硬度および低収縮性があるウレタンアクリレートを主成分とするＵＶ硬化インクをバックコート層１２の形成に利用することが好適である。また，インクジェット記録紙１の伸びを防止する観点からすると，バックコート層１２の膜厚も重要なファクターで，基紙層１１に用いる基紙１１０の種類にもよるが，８０μｍ〜５００μｍの範囲の膜厚がバックコート層１２に必要とされる。なお，この範囲の膜厚のバックコート層１２を形成するには，バックコート層１２の形成にＵＶフレキソ印刷機を用いるとよい。
【００２１】
基紙層１１は，表面側にインク受容層１０が積層され，裏面側にバックコート層１２が積層される層である。基紙層１１は，インクジェット記録紙１のベースとなる基紙１１０を含む。基紙層１１は，基紙１１０のみの単層でもよいが，基紙１１０の両面にラミネートを施した層でもよい。例えば，基紙層１１は，ポリエチレンなどの樹脂をラミネートしたレジンコート紙であってもよい。
【００２２】
膜厚が８０μｍ〜５００μｍの範囲のバックコート層１２を裏面に形成する都合上，基紙層１１に含ませる基紙１１０の紙厚が薄いとバックコート層１２の影響を強く受け，インクジェット記録紙１の印刷適性が悪化する。このため，基紙層１１に含ませる基紙１１０にはある程度の紙厚が必要になり，基紙１１０の紙厚としては，斤量（四六判）が１３０ｋｇ（ＣＤジャケットなどの紙厚）〜１８０ｋｇ（官製はがきの紙厚）の範囲が好適である。
【００２３】
ここから，本実施形態に係るインクジェット記録紙１を使用した校正刷り３の製造方法について説明する。図３では，校正刷り３の製造方法で使用する装置として，基本色絵柄２０の印刷に使用する装置となるインクジェットプリンタ４と，特色絵柄２１の印刷に使用する装置となる平台校正機５を図示している。
【００２４】
図２で図示した校正刷り３の製造方法は，基本色に対応する多色の水性インクを搭載したインクジェットプリンタ４を使用して，インクジェット記録紙１に基本色絵柄２０をインクジェット印刷する工程と，特色インクがインキングユニット５ｅに入れられた平台校正機５を使用して，インクジェット印刷後のインクジェット記録紙１ａに特色絵柄２１をオフセット印刷する工程を含む。
【００２５】
図２で図示した図示したように，インクジェットプリンタ４には基本色絵柄２０のデジタル原稿２０ａが登録されており，インクジェットプリンタ４は，インクジェットプリンタ４の基本色に対応する多色の水性インクを用いて，図１を用いて説明したインクジェット記録紙１に基本色絵柄２０をインクジェット印刷し，インクジェット印刷後のインクジェット記録紙１ａは校正刷り３の半製品となる。なお，インクジェットプリンタ４の基本色は４色（ブラック，シアン，マゼンダ，イエロー）が一般的であるが，６色（例えば，ブラック，シアン，マゼンダ，イエロー，ライトシアン，ライトマゼンダ）の場合もある。
【００２６】
平台校正機５は，刷り版５ｇを装着する版定盤５ｃおよびインクジェット印刷後のインクジェット記録紙１ａを装着する紙定盤５ｄを設けたフレーム５ｂと、フレーム５ｂを往復走行するキャリッジ５ａを備える。図３においてフレーム５ｂの左側には，インクを供給するインキングユニット５ｅが設けられ，図３においてフレーム５ｂの右側には，湿し水を供給するダンピングユニット５ｆが設けられている。
【００２７】
インクジェット印刷後のインクジェット記録紙１ａに特色絵柄２１をオフセット印刷する際，特色インクがインキングユニット５ｅに入れられ，特色絵柄２１のオフセット印刷に使用する刷り版５ｇが版定盤５ｃに装着され，そして，インクジェット印刷後のインクジェット記録紙１ａが紙定盤５ｄに装着される。この状態で，平台校正機５のキャリッジ５ａがフレーム５ｂを往復走行すると，インキングユニット５ｅに入れられた特色インクが版定盤５ｃに装着された刷り版５ｇに付けられ，刷り版５ｇに付けられた特色インクはキャリッジ５ａが有するブランケット胴５ａａに転写され，そして，ブランケット胴５ａａに転写された特色インクがインクジェット印刷後のインクジェット記録紙１ａに転写されることで，基本色絵柄２０と特色絵柄２１を印刷した校正刷り３が製造される。
【００２８】
特色絵柄２１の見当ずれが発生しないように，インクジェット記録紙１の伸びを考慮して特色絵柄２１の刷り版５ｇを作成することも考えられるが，この手法だと，校正刷り３を製造するときの特色絵柄２１の刷り版５ｇと，印刷物を実際に製造するときの特色絵柄２１の刷り版５ｇが異なってしまい，文字校正などで問題となる。これに対し，本発明では，水分による伸びを防止する工夫をインクジェット記録紙１に施しているので，印刷物を実際に製造するときの特色絵柄２１の刷り版５ｇを校正刷り３の製造に利用できる。なお，簡易校正の場合，簡易校正で用いる印刷用紙と製造で用いる印刷用紙が異なることが一般的であるため，水分による伸びを防止する工夫をインクジェット記録紙１に施しても簡易校正での問題はない。
【符号の説明】
【００２９】
１    インクジェット記録紙
１ａ  インクジェット印刷後のインクジェット記録紙
１０  インク受容層
１１  基紙層
１１０  基紙
１２  バックコート層
２    印刷原稿
２０  基本色絵柄
２１  特色絵柄
３    校正刷り
４    インクジェットプリンタ
５    平台校正機
５ｅ  インキングユニット
【図１】
2020131457.tif 000003
【図２】
2020131457.tif 000004
【図３】
2020131457.tif 000005